(57)【要約】【課題】  用途が広く、少ない労力で作業を行うことができる送風機を提供する。【解決手段】  送風機としてのブロア１０は、電動機１３と、電動機１３を駆動源とするファン１１と、ファン１１を収納するファンケーシング１と、送風手段３とを備えている。ファンケーシング１には、空気吸込部２と、送風手段３との接続部が形成されている。送風手段３は、ファンケーシング１と接続された状態で揺動することができる。【選択図】図１
2006266125.tif 000002
【特許請求の範囲】
【請求項１】
電動機と、前記電動機を駆動源とするファンと、前記ファンを収納し、空気吸込部と空気流出部とが形成されたファンケーシングと、前記空気流出部と接続された送風手段と、を備えた送風機において、
前記送風手段は、前記空気流出部に接続された状態で揺動可能であることを特徴とする送風機。
【請求項２】
前記送風手段を揺動するための揺動駆動手段を更に備え、前記揺動駆動手段は、前記電動機の回転数を減少させる回転減少部と、前記回転減少部によって減少された回転数を前記送風手段を揺動させる力へと変換して前記送風手段に伝達する伝達部とを備えたことを特徴とする請求項１に記載の送風機。
【請求項３】
前記送風手段は、前記揺動のための支点を中心として約３０度の範囲で揺動することを特徴とする請求項１又は２に記載の送風機。
【請求項４】
前記ファンケーシングを支持するためのベルトを更に備えたことを特徴とする請求項１から３のいずれか一項に記載の送風機。
【請求項５】
前記送風手段を所望の方向へ向けるための取手部を更に備えたことを特徴とする請求項４に記載の送風機。
【請求項６】
前記空気流出部と前記送風手段との接続部を覆う密封部を更に備えたことを特徴とする請求項１から５のいずれか一項に記載の送風機。
【発明の詳細な説明】
【技術分野】
【０００１】
本発明は、空気の吸い込み及び噴出を行う送風機に関する。
【背景技術】
【０００２】
ブロアは、空気の吸い込み及び噴出を行う送風機であり、主に配電盤や設備機器等の清掃、小規模な庭の清掃、湿ったものの乾燥などに用いられている。図６は、従来のブロア１００の斜視図である。ブロア１００は、ファンケーシング１０１と、吸込部１０２と、送風部１０３と、取手部１０４とを備えている。ファンケーシング１０１内には、電動機及びファンが内蔵されている。
【０００３】
ファンが、電動機によって回転されることで、吸込部１０２から空気が吸い込まれ、吸込まれた空気は、ファンケーシング１０１内を通って、送風部１０３から噴出される。
【０００４】
このような構成により、ブロア１００は、送風部１０３から空気を噴出させて枯葉等を飛ばしたり、送風部１０３に袋等を取り付けて吸込口１０２からゴミ等を吸込んだりすることにより清掃作業を行うことができる。送風部１０３から空気を噴出させて清掃を行う場合には、取手部１０４を持ち、ブロア１００全体を前後に揺らすことにより、広範囲の清掃を行うことができる。
【発明の開示】
【発明が解決しようとする課題】
【０００５】
しかしながら、従来のブロアは、電動機に電力を供給するために、商用電源に接続するコード、又は、電池を備えている必要があった。そのため、コード付きブロアの場合には、使用できる範囲が限られ、コードレスブロアの場合には、重量のある電池を内蔵しているため、前述のように、ブロア全体を前後に揺らしながら掃除するのは、腕、手首等への負担が大きく、作業者に大きな労力をかけるという問題点があった。従って、従来のブロアの用途は、主に、前述のような比較的軽微かつ短時間で行われる作業に限られていた。
【０００６】
そこで、本発明は、従来のブロアよりも用途が広く、少ない労力で作業を行うことができるブロアを提供することを目的としている。
【課題を解決するための手段】
【０００７】
請求項１に記載の送風機は、電動機と、電動機を駆動源とするファンと、ファンを収納し、空気吸込部と空気流出部とが形成されたファンケーシングと、空気流出部と接続された送風手段とを備え、送風手段は、空気流出部に接続された状態で揺動可能であることを特徴としている。
【０００８】
また、請求項２に記載の送風機は、送風手段を揺動するための揺動駆動手段を更に備え、揺動駆動手段は、電動機の回転数を減少させる回転減少部と、回転減少部によって減少された回転数を送風手段を揺動させる力へと変換して送風手段に伝達する伝達部とを備えたことを特徴としている。
【０００９】
また、請求項３に記載の送風機は、送風手段は、前記揺動のための支点を中心として約３０度の範囲で揺動することを特徴としている。
【００１０】
また、請求項４に記載の送風機は、ファンケーシングを支持するためのベルトを更に備えたことを特徴としている。
【００１１】
また、請求項５に記載の送風機は、送風手段を所望の方向へ向けるための取手部を更に備えたことを特徴としている。
【００１２】
また、請求項６に記載の送風機は、空気流出部と送風手段との接続部を覆う密封部を更に備えたことを特徴としている。
【発明の効果】
【００１３】
請求項１に記載の送風機によれば、送風手段を揺動させることができるので、一定の範囲に空気を噴出させるために、送風機本体を揺らす労力が必要なくなる。
【００１４】
また、請求項２に記載の送風機によれば、揺動駆動手段によって送風手段が自動的に揺動されるので、使用者の労力が一層軽減される。
【００１５】
また、請求項３に記載の送風機によれば、送風手段が、掃除等に好ましい範囲でされる。
【００１６】
また、請求項４に記載の送風機によれば、ベルトを肩等に掛けることができるので、使用者の労力が一層軽減される。
【００１７】
また、請求項５に記載の送風機によれば、ベルトを肩等に掛けた際でも、取手部によって容易に送風手段の方向を変更することができる。
【００１８】
また、請求項６に記載の送風機によれば、密封部が空気流出部と送風手段との接続部を覆うので、送風手段が揺動した場合でも、その接続部から空気が逃げることがなくなり、送風機を効率良く使用することができる。
【発明を実施するための最良の形態】
【００１９】
本発明の一実施形態による送風機としてのブロア１０について、図１から図５を参照して説明する。図１は、ブロア１０の斜視図である。なお、本実施の形態では、図１に示されたブロア１０において、紙面左側を前方、紙面右側を後方、紙面奥側を右方、紙面手前側を左方、紙面上側を上方、紙面下側を下方として説明する。
【００２０】
ブロア１０は、ファンケーシング１と、吸込部２と、送風部３と、揺動ピン４（図２）と、蛇腹５と、ノズル６とを備えている。ファンケーシング１は、後述するファン１１（図２、３）及び減速機構２０（図３、図４）等を内蔵している。また、ファンケーシング１の右方には、ファンケーシング１の外側に突出するように電動機１３（図３）が取り付けられている。ファンケーシング１の左方は、中心部が開放されている。また、ファンケーシング１の上方かつ前方の部分も開放されている。
【００２１】
吸込部２は、ファンケーシング１の前記左方の開放部分から外側に円筒状に突出するように設けられている。送風部３は、一端が、ファンケーシング１の前記上方かつ前方の開放部分に係合する形状を有する円筒であり、ファンケーシング１の上端から前方に延びている。送風部３は、揺動ピン４によって、ファンケーシング１の前記上方かつ前方の開放部分の前端において、ファンケーシング１と接続されている。揺動ピン４は、送風部３とファンケーシング１とを回転可能に接続しているため、送風部３は、揺動ピン４を中心として一定の範囲で揺動することが可能である。
【００２２】
また、ファンケーシング１と送風部３との接続部には、その隙間を覆うように蛇腹５が取り付けられている。蛇腹５は、送風部３が揺動ピン４を中心として揺動する場合にも対応できるように伸縮可能であり、ビニール等の材質から構成されている。
【００２３】
送風部３の他端には、その外周面に円周状の溝が形成されている。ノズル６は、その一端の内周面に弾性体からなる円周状の突出部を備えた円筒形状を有している。送風部３の前記溝にノズル６の前記突出部を嵌合させることで、送風部３にノズル６を接続することができる。ノズル６の他端からは、空気が噴出される。
【００２４】
さらに、ブロア１０は、肩下げ用ベルト７と、第１取手部８と、第２取手部９とを備えている。肩下げ用ベルト７は、ブロア１０を肩から下げて作業する場合等に用いるためのものであり、その両端がファンケーシング１の左方において接続されている。第１取手部８は、ブロア１０を片手で持って作業する場合等に用いるためのものであり、ファンケーシング１の右方から突出した電動機１３上に設けられている。第２取手部９は、肩下げ用ベルト７を用いてブロア１０を肩からぶら下げ、吸込部２を上方に向けて作業する場合等に手を添えてブロア１０を安定させるためのものであり、ファンケーシング１の左方かつ前方側に設けられている。
【００２５】
次に、ブロア１０の内部構造について図２及び図３を参照しながら説明する。図２は、ブロア１０の縦断面図であり、図３は、ブロア１０の図２におけるＡ−Ａ断面図である。ファンケーシング１内には、ファン１１と、仕切り板１２と、減速機構２０と、伝達機構３０とが内蔵されている。ファンケーシング１内は、仕切り板１２によって右側と左側とに仕切られており、左側には、ファン１１が内蔵されており、右側には、減速機構２０が内蔵されている。
【００２６】
ファン１１は、ファンケーシング１に収まるような直径を有する略円形形状を有している。ファンケーシング１の右方から突出するように設けられている電動機１３は、仕切り板１２を貫通してファン１１の中心部に接続された電動機軸１３ａを備えている。電動機１３は、ブロア１０にコード等（図示せず）を備えており、商用電源によって駆動される。
【００２７】
電動機１３からの動力により電動機軸１３ａが回転し、その回転がファン１１に伝達されて、ファン１１は回転する。ファン１１が回転することで、吸込部２から空気が吸い込まれ、吸込まれた空気は、ファンケーシング１内を通って、送風部３から噴出される。このようにして、送風部３に袋等を取り付けて吸込口２からゴミ等を吸込んだり、送風部３から空気を噴出させて枯葉等を飛ばしたりすることにより清掃作業が行われる。
【００２８】
また、送風部３にノズル６を取り付けることで、比較的遠方にあるゴミ等であっても吹き飛ばすことができる。更に、送風部３とノズル６が別体に設けられていることで、ブロア１０の収納等が容易となる。
【００２９】
ここで、本実施の形態では、ファン１１の回転に連動して送風部３が揺動ピン４を中心に揺動する。詳細には、電動機１３の回転速度を減速機構２０で減速し、伝達機構３０が、その減速された回転速度に応じて送風部３を揺動させる。
【００３０】
ファンケーシング１内の右側に内蔵されている減速機構２０について図４を参照しながら説明する。図４は、ブロア１０の図２におけるＢ−Ｂ断面図である。
【００３１】
本実施の形態の減速機構２０は、ピニオン２１（図３）と、遊星ギヤ機構２２と、減速ギヤ２３を備えており、ピニオン２１から出力される回転速度は、遊星ギヤ機構２２と減速ギヤ２３とによって減速される。ピニオン２１は、電動機軸１３ａの円周上に設けられている。
【００３２】
遊星ギヤ機構２２は、太陽ギヤ２２１と、遊星ギヤ２２２ａ、２２２ｂ、２２２ｃ（図示せず）と、外輪歯車２２３と、キャリア２２４と、ベアリング２２５とを備えている。太陽ギヤ２２１は、ファンケーシング１内の右側に設けられており、外輪を有している。太陽ギヤ２２１は、回転できないように固定されている。また、ベアリング２２５も、ファンケーシング１内の右側に設けられており、外輪歯車２２３を回転可能に支持している。外輪歯車２２３は、外輪と内輪を有しており、外輪でピニオン２１と噛合し、内輪で遊星ギヤ２２２ａ、２２２ｂ、２２２ｃのそれぞれと噛合している。また、遊星ギヤ２２２ａ、２２２ｂ、２２２ｃは、太陽ギヤ２２１の外輪ともそれぞれ噛合している。遊星ギヤ２２２ａ、２２２ｂ、２２２ｃは、キャリア２２４上に自転可能に搭載されている。キャリア２２４は、外輪を有しており、減速ギヤ２３の外輪と噛合している。
【００３３】
減速ギヤ２３は、その中心にファンケーシング１の右方に向けて突出したギヤ軸２３ａを備えており、ギヤ軸２３ａは、ファンケーシング１内の右側に設けられたベアリング２４に回転可能に支持されている。
【００３４】
このような構成により、ピニオン２１の回転が外輪歯車２２３に伝達され、外輪歯車２２３が回転する。外輪歯車２２３の回転に伴い、その内輪と噛合している遊星ギヤ２２２ａ、２２２ｂ、２２２ｃも自転する。遊星ギヤ２２２ａ、２２２ｂ、２２２ｃは、それぞれ、太陽ギヤ２２１とも噛合しているが、太陽ギヤ２２１は、ファンケーシング１に固定されているため、回転することができない。従って、遊星ギヤ２２２ａ、２２２ｂ、２２２ｃは、自転を行うと同時に、太陽ギヤ２２１を中心とした公転も行う。遊星ギヤ２２２ａ、２２２ｂ、２２２ｃの公転に伴い、遊星ギヤ２２２ａ、２２２ｂ、２２２ｃを搭載したキャリア２２４も回転する。このようにして、ピニオン２１から出力された回転速度は、減速されてキャリア２２４に伝達される。なお、この遊星ギヤ機構２２により、ピニオン２１から出力された回転速度は約４０分の１に減速されるものとする。
【００３５】
キャリア２２４は、減速ギヤ２３と噛合しているため、キャリア２２４から出力された回転速度は、減速ギヤ２３によって更に減速される。なお、この減速ギヤ２３により、キャリア２２４から出力された回転速度は、約５分の１に減速されるものとする。このように、ピニオン２１から出力された回転速度は、遊星ギヤ機構２２と減速ギヤ２３との２段階で約２００分の１に減速されて、減速ギヤ２３から出力される。
【００３６】
次に、送風部３を揺動させるための伝達機構３０について図２を参照しながら説明する。伝達機構３０は、クランクピン３１と、リンク３２と、接続ピン３３とを備えている。クランクピン３１は、前述の減速ギヤ２３の平面部からファンケーシング１の左方に向けて突出している（図３）。一方、送風部３の後端には、接続ピン３３が設けられている。この接続ピン３３とクランクピン３１とが、リンク３２によって枢着されている。
【００３７】
このような構成により、減速ギヤ２３が回転すると、減速ギヤ２３上に設けられたクランクピン３１も、ギヤ軸２３ａを中心とした円周運動を行う。ここで、前述したように、送風部３は、ファンケーシング１に、揺動ピン４によって回転可能に連結されている。従って、ギヤ軸２３ａとリンク３２を介して接続された送風部３は、クランクピン３１が円周運動を行うことによって、リンク３２の動きに合わせて、揺動ピン４を中心とした揺動運動を行うことになる。
【００３８】
なお、送風部３は、毎分約１００回で送風部３を揺動させるのが好ましい。一方、電動機は、通常、毎分約２万回の回転を行う。従って、本実施の形態では、電動機の回転速度を減速機構２０で約２００分の１に減速させることにより、送風部３を毎分約１００回で揺動させている。
【００３９】
なお、送風部３が上方向を向いているとき、すなわち、クランクピン３１が、減速ギヤ２３の円周の下方に位置しているときには、送風部３の後端がファン１１と衝突してしまう恐れがある。従って、本実施の形態では、クランクピン３１が、減速ギヤ２３の円周の最下方に位置しているときであっても、送風部３の後端がファン１１と衝突しないように、ギヤ軸２３ａの位置、減速ギヤ２３の半径、クランクピン３１の位置、リンク３２の長さ、接続ピン３３の位置、ファン１１の半径等の関係を調整している。なお、本実施の形態では、送風部３は、揺動ピン４を中心として約３０度の範囲で揺動可能なように調整している。
【００４０】
このような構成によれば、送風部３の揺動運動により、送風部３から空気を噴出させてゴミ等を吹き飛ばす場合には、ブロア１０本体を動かすことなく広範囲の清掃を行うことができる。従って、従来のように、第１取手部８を持ってブロア１０本体を揺らす必要がなくなり、作業者の労力が軽減される。更に、肩下げベルト７及び第２取手部９を備えたことにより、ブロア１０を第１取手部８のみで片手で保持する必要がなくなるので、作業者の労力が一層軽減される。従って、公園等の比較的広い場所の清掃を行う場合でも、効率良く、楽に作業を行うができる。
【００４１】
また、送風部３が自動的に揺動運動するため、ブロア１０を据え置きにしたまま、例えば、各種農作物、干物等を乾燥等させる作業にも効果が期待できる。更に、ブロア１０は、例えば、ノズル６の先端等の細い部分ではなく、ファンケーシング１と係合する形状を有する送風部３の後端等の面積の大きい部分が揺動する。従って、面積の大きい部分は風圧も小さいので、その接続部を覆う蛇腹５が風圧によって折れ曲がってしまう等の風量の損失が生じない。
【００４２】
尚、本発明のブロア１０は、上記した実施例に限定されるものではなく、本発明の要旨を逸脱しない範囲内において種々変更を加え得ることは勿論である。
【００４３】
例えば、図５に示すように、ブロア１０は、減速機構２０及び伝達機構３０を備えていなくても良い。この場合、本実施の形態のように、送風部３が、ファン１１の回転に連動して自動的に揺動を行うことはないが、作業者が自由に送風部３の方向を変えることができる。また、リンク３２を自由に取り外すことができるような構造とし、送風部３が自動で揺動する場合と、手動で揺動させる場合とを切り替えることができるようにしても良い。更に、本実施の形態では、送風部３がファンケーシング１に対して揺動したが、ファンケーシング１内の部材が揺動することにより、送風部３を揺動させても良い。例えば、ファンケーシング１の送風部３と接続される開放部自体が動くことで、送風部３を揺動させる方法などが考えられる。
【００４４】
また、本実施の形態の電動機１３は、ブロア１０にコード等を備え、商用電源によって駆動されていたが、電池によって駆動されても良い。更に、本実施の形態のブロア１０では、送風部３とノズル６とは別体に備えられていたが、一体であっても良い。
【産業上の利用可能性】
【００４５】
本発明の送風機は、清掃や乾燥に利用することができる。
【図面の簡単な説明】
【００４６】
【図１】は、ブロア１０の斜視図である。
【図２】は、ブロア１０の縦断面図である。
【図３】は、ブロア１０の図２におけるＡ−Ａ断面図である。
【図４】は、ブロア１０の図２におけるＢ−Ｂ断面図である。
【図５】は、減速機構２０及び伝達機構３０を備えていないブロアの一例である。
【図６】従来のブロア１００の斜視図である。
【符号の説明】
【００４７】
１  ファンケーシング、２  吸込部、３  送風部、４  揺動ピン、５  蛇腹、６  ノズル、７  肩下げ用ベルト、８  第１取手部、９  第２取手部、１０  ブロア、１１  ファン、１３  電動機、２０  減速機構、３０  伝達機構
【図１】
2006266125.tif 000003
【図２】
2006266125.tif 000004
【図３】
2006266125.tif 000005
【図４】
2006266125.tif 000006
【図５】
2006266125.tif 000007
【図６】
2006266125.tif 000008